(57)【特許請求の範囲】
【請求項１】
ネットワークに接続して通信を行う端末であって、
前記ネットワークに接続された少なくとも一つの端末を含むグループ内で行う通信であることを識別するための識別情報を複数記憶し、かつ、送信フレームの宛先となるサーバのアドレスを複数記憶する記憶部と、
前記記憶部内でサーバのアドレスを１つ選択し、選択したアドレス宛に、前記記憶部に記憶されている複数の識別情報のうちの第一の識別情報を付した送信フレームを送信し、当該送信フレームに対する応答フレームを所定期間内に受信しない場合に、前記記憶部内で未選択のサーバのアドレスを１つ選択し、選択したアドレス宛に、前記第一の識別情報を付した送信フレームを送信する制御部と
を備え、
前記制御部は、
前記記憶部内のいずれのアドレスのサーバからも、前記第一の識別情報を付した送信フレームに対する応答フレームを所定期間内に受信しない場合に、前記記憶部内でサーバのアドレスを１つ選択し、選択したアドレス宛に、前記第一の識別情報に代えて、前記複数の識別情報のうちの第二の識別情報を付した送信フレームを送信することを特徴とする端末。
【請求項２】
ネットワークに接続して通信を行う端末であって、
前記ネットワークに接続された少なくとも一つの端末を含むグループ内で行う通信であることを識別するための識別情報を複数記憶し、かつ、送信フレームの宛先となるサーバのアドレスを複数記憶する記憶部と、
前記記憶部に記憶されている複数の識別情報の中の一つの識別情報を付加した送信フレームを、前記記憶部に記憶されている複数のアドレスのそれぞれ宛に順次送信する制御部と
を備え、
前記制御部は、
前記一つの識別情報を付加して送信した送信フレームに対する応答フレームを所定期間内に受信しない場合に、前記一つの識別情報に代えて、前記複数の識別情報の中の他の識別情報を付加した送信フレームを、前記記憶部に記憶されている複数のアドレスのそれぞれ宛に順次送信することを特徴とする端末。
【請求項３】
ネットワークに接続された少なくとも一つの端末を含むグループ内で行う通信であることを識別するための識別情報を複数記憶し、かつ、送信フレームの宛先となるサーバのアドレスを複数記憶した記憶部を備える端末における通信方法であって、
前記記憶部内でサーバのアドレスを１つ選択し、選択したアドレス宛に、前記記憶部に記憶されている複数の識別情報のうちの第一の識別情報を付した送信フレームを送信する第一の送信過程と、
前記第一の識別情報を付した送信フレームに対する応答フレームを所定の期間受信しない場合に、前記記憶部内で未選択のサーバのアドレスを１つ選択し、選択したアドレス宛に、前記第一の識別情報を付した送信フレームを送信する第二の送信過程と、
前記記憶部内のいずれのアドレスのサーバからも、前記第一の識別情報を付した送信フレームに対する応答フレームを所定期間内に受信しない場合に、前記記憶部内でサーバのアドレスを１つ選択し、選択したアドレス宛に、前記第一の識別情報に代えて、前記複数の識別情報のうちの第二の識別情報を付した送信フレームを送信する第三の送信過程と
を備えることを特徴とする通信方法。
【請求項４】
請求項３に記載の通信方法であって、
前記送信フレームに対する応答フレームを所定の期間内に受信した場合には、受信した前記応答フレームによって応答された前記送信フレームに付した識別情報を用いて、当該応答フレームを返信したサーバとの間で通信を行う識別情報設定過程をさらに備えることを特徴とする通信方法。
【発明の詳細な説明】
【技術分野】
【０００１】
本発明は、複数のＶＬＡＮ（Virtual Local Area Network）に接続する技術に関する。
【背景技術】
【０００２】
ＬＡＮ（Local Area Network）を介して相互に接続されている端末とサーバにおいて、端末がサーバからのサービスの提供を受ける場合には、通常、端末からサーバに対してログイン要求を送出し、サーバにおいて認証を受けるようにされている（例えば、特許文献１参照）。
【０００３】
ここで、端末とサーバとが接続されているＬＡＮに複数のＶＬＡＮが形成されており、このＶＬＡＮとして、所属するＶＬＡＮの属性を識別情報で識別している場合には、端末において所属するＶＬＡＮの識別情報を手動で設定しなければならない。
【０００４】
【特許文献１】特開２００４−１６５９３３号公報
【発明の開示】
【発明が解決しようとする課題】
【０００５】
従来技術では、端末の所属するＶＬＡＮが変更された場合には、端末毎にＶＬＡＮの設定を手動で変更しなければならず、例えば、企業などの大規模ネットワークにおいて、大規模な変更があった場合等には、設定を変更しなければならない端末の数が膨大な数となり、設定の変更に多大な労力と時間がかかるという問題があった。
【０００６】
そこで、本発明は、端末の設定を手動で変更することなく、複数のＶＬＡＮに接続することができる技術を提供することを目的とする。
【課題を解決するための手段】
【０００７】
以上の課題を解決するため、本発明は、送信するデータに異なるＶＬＡＮの識別情報を付加して送信する。
【０００８】
例えば、本発明は、ネットワークに接続して通信を行う端末であって、
前記ネットワークに接続された少なくとも一つの端末を含むグループ内で行う通信であることを識別するための識別情報を複数記憶し、かつ、送信フレームの宛先となるサーバのアドレスを複数記憶する記憶部と、
前記記憶部内でサーバのアドレスを１つ選択し、選択したアドレス宛に、前記記憶部に記憶されている複数の識別情報のうちの第一の識別情報を付した送信フレームを送信し、当該送信フレームに対する応答フレームを所定期間内に受信しない場合に、前記記憶部内で未選択のサーバのアドレスを１つ選択し、選択したアドレス宛に、前記第一の識別情報を付した送信フレームを送信する制御部と
を備え、
前記制御部は、
前記記憶部内のいずれのアドレスのサーバからも、前記第一の識別情報を付した送信フレームに対する応答フレームを所定期間内に受信しない場合に、前記記憶部内でサーバのアドレスを１つ選択し、選択したアドレス宛に、前記第一の識別情報に代えて、前記複数の識別情報のうちの第二の識別情報を付した送信フレームを送信することを特徴とする。
【発明の効果】
【０００９】
以上のように、本発明によれば、送信するデータに異なるＶＬＡＮの識別情報を付加して送信するため、端末の設定を手動で変更することなく、複数のＶＬＡＮに接続することができる。
【発明を実施するための最良の形態】
【００１０】
図１は、本発明の第一の実施形態である通信システム１００の概略図である。
【００１１】
図示するように、通信システム１００は、通話端末１１０と、集線装置１３０と、呼制御サーバ１４０と、を備えており、これらはＬＡＮ１５０により接続されている。そして、ＬＡＮ１５０には、第一のＶＬＡＮ１５１Ａ、第二のＶＬＡＮ１５１Ｂ及び第三のＶＬＡＮ１５１Ｃが形成されている。
【００１２】
ここで、第一のＶＬＡＮ１５１Ａ、第二のＶＬＡＮ１５１Ｂ及び第三のＶＬＡＮ１５１Ｃについては、ＶＬＡＮを識別するための識別情報であるＶＬＡＮタグを用いることにより、ＶＬＡＮ同士を区別することができるようにされている。
【００１３】
図２に示されているように、通話端末１１０は、記憶部１１１と、制御部１１５と、ＬＡＮインターフェース部１１９と、Ｉ／Ｏ制御部１２０と、入力部１２１と、表示部１２２と、出力部１２３と、を備えており、ＬＡＮ１５０に接続することで、ＩＰ（Internet Protocol）電話として機能する。
【００１４】
記憶部１１１は、通信情報記憶部１１２と、ＶＬＡＮ情報記憶部１１３と、ＶＬＡＮ設定情報記憶部１１４と、を有している。
【００１５】
通信情報記憶部１１２には、通信を行うために必要な情報、例えば、呼制御サーバ１４０のアドレス等の情報が記憶されている。
【００１６】
ＶＬＡＮ情報記憶部１１３には、通話端末１１０を接続するＬＡＮ１５０に形成されている全てのＶＬＡＮ１５１の識別情報であるＶＬＡＮタグが記憶されている。ＶＬＡＮ情報記憶部１１３に記憶するＶＬＡＮタグについては、通話端末１１０が接続するＶＬＡＮの管理者又はユーザが予め登録しておく。
【００１７】
ＶＬＡＮ設定情報記憶部１１４には、通話端末１１０が接続するスイッチ１３０のポートで使用するＶＬＡＮタグを記憶する。なお、このＶＬＡＮタグについては、後述するように、ＶＬＡＮ設定部１２２において検索されて、ＶＬＡＮ設定情報記憶部１１４に記憶される。
【００１８】
制御部１１５は、通信制御部１１６と、ＶＬＡＮ設定部１１７と、時間計測部１１８と、を有している。
【００１９】
通信制御部１１６は、通話端末１１０においてＩＰを用いて通話を行うための制御を行う。
【００２０】
なお、本実施形態においては、通信制御部１１６は、ＶＬＡＮ設定情報記憶部１１４にＶＬＡＮタグが記憶されている場合には、ＶＬＡＮ設定情報記憶部１１４に記憶されているＶＬＡＮタグを含むＭＡＣフレームを生成して送信する処理を行う。
【００２１】
ＶＬＡＮ設定部１１７は、記憶部１１０のＶＬＡＮ情報記憶部１１３に記憶されているＶＬＡＮタグを一つずつＭＡＣフレームに挿入したログイン要求を、所定の時間間隔を開けて順番に呼制御サーバ１４０に送信する処理を行う。
【００２２】
なお、ログイン要求を送信する時間間隔については、この間隔内において呼制御サーバ１４０からのログイン応答を受信することができる範囲で適宜設定すればよい。
【００２３】
そして、ＶＬＡＮ設定部１１７は、ＶＬＡＮ情報記憶部１１３に記憶されているＶＬＡＮタグをＭＡＣフレームに付加したフレームを呼制御サーバ１４０に送信してから所定の時間が経過する前に呼制御サーバ１４０からログイン応答の返信があった場合には、ログイン応答を受信する直前に送信したフレームに挿入されたＶＬＡＮタグをＶＬＡＮ設定情報記憶部１１４に記憶する。
【００２４】
なお、ＶＬＡＮ設定部１１７は、ＶＬＡＮ設定情報記憶部１１４に既にＶＬＡＮタグが記憶されている場合には、既に記憶されているＶＬＡＮタグを削除して、新たに取得したＶＬＡＮタグを記憶する。
【００２５】
時間計測部１１８は、例えば、ＲＴＣ（Real Time Clock）から得られる信号に基づいて時間を計測するタイマーである。
【００２６】
ＬＡＮインターフェース部１１９は、ＬＡＮ１５０を介して通信を行うためのインターフェースである。
【００２７】
Ｉ／Ｏ制御部１２０は、後述する、入力部１２１、表示部１２２及び出力部１２３との間で情報の送受信を行うためのインターフェースである。
【００２８】
入力部１２１は、ユーザからの情報の入力を受け付けるためのキーデバイス及びユーザの音声を獲得するマイクである。
【００２９】
表示部１２２は、所定の情報を表示するためのディスプレイ等の表示装置である。
【００３０】
出力部１２３は、通信された音声をユーザに報知するためのスピーカである。
【００３１】
集線装置１３０は、タグＶＬＡＮに対応するスイッチングハブを使用する。
【００３２】
呼制御サーバ１４０は、通話端末１１０のアドレスと電話番号を管理し、ＬＡＮ１５０に接続された通話端末１１０の認証を行うことで、認証された通話端末１１０において音声の送受信を行うことができるようにする装置である。
【００３３】
以上のように構成される通信システム１００において、通話端末１１０から呼制御サーバ１４０にログイン要求を行う処理を図３に示すシーケンス図を用いて説明する。
【００３４】
ここで、図３では、通話端末１１０は、集線装置１３０の第三のＶＬＡＮ１５１Ｃに接続するポートに連結されているものとする。
【００３５】
通話端末１１０は、まず、自身のアドレス情報等を格納したＩＰパケットに、第一のＶＬＡＮ１５１ＡのＶＬＡＮタグを付したＭＡＣフレームを付加して、呼制御サーバ１４０に対してログイン要求を送信する（１７０）。
【００３６】
集線装置１３０において通話端末１１０は第三のＶＬＡＮ１５１Ｃに接続するポートに連結されているため、第一のＶＬＡＮ１５１ＡのＶＬＡＮタグが付されたログイン要求は破棄される（１７１）。
【００３７】
通話端末１１０は、時間計測部１１８において時間を計測しており、予め定められた時間が経過しても呼制御サーバ１４０からログイン応答を受信しない場合には（１７２）、次に、自身のアドレス情報等を格納したＩＰパケットに、第二のＶＬＡＮ１５１ＢのＶＬＡＮタグを付したＭＡＣフレームを付加して、呼制御サーバ１４０に対してログイン要求を送信する（１７３）。
【００３８】
ここでも、集線装置１３０において通話端末１１０は第三のＶＬＡＮ１５１Ｃに接続するポートに連結されているため、第二のＶＬＡＮ１５１ＢのＶＬＡＮタグが付されたログイン要求は破棄される（１７４）。
【００３９】
通話端末１１０は、予め定められた時間が経過しても呼制御サーバ１４０からログイン応答を受信しない場合には（１７５）、次に、自身のアドレス情報等を格納したＩＰパケットに、第三のＶＬＡＮ１５１ＣのＶＬＡＮタグを付したＭＡＣフレームを付加して、呼制御サーバ１４０に対してログイン要求を送信する（１７６）。
【００４０】
集線装置１３０において通話端末１１０は第三のＶＬＡＮ１５１Ｃに接続するポートに連結されているため、第三のＶＬＡＮ１５１ＣのＶＬＡＮタグが付されたログイン要求を受信した集線装置１３０は、受信したログイン要求からＶＬＡＮタグを削除して（１７７）、呼制御サーバ１４０に転送する（１７８）。
【００４１】
呼制御サーバ１４０では、ログイン要求に添付されている通話端末１１０のアドレス情報に基づいてログイン認証を行い（１７９）、通話端末１１０にログイン応答を返信する（１８０）。
【００４２】
集線装置１３０では、呼制御サーバ１４０から返信されたログイン応答のＭＡＣフレームに第三のＶＬＡＮ１５１ＣのＶＬＡＮタグを挿入して（１８１）、通話端末１１０に転送する（１８２）。
【００４３】
通話端末１１０では、第三のＶＬＡＮ１５１ＣのＶＬＡＮタグをＶＬＡＮ設定情報記憶部１１４に記憶して（１８３）、以後、この第三のＶＬＡＮ１５１ＣのＶＬＡＮタグを用いて発呼等の情報を呼制御サーバ１４０に送信する（１８４）。
【００４４】
図４は、呼制御サーバ１４０においてログイン認証を受ける際の通話端末１１０の処理を示すフローチャートである。
【００４５】
なお、本フローチャートでは、通話端末１１０の記憶部１１１のＶＬＡＮ情報記憶部１１３に、第一のＶＬＡＮから第Ｍ（Ｍは２以上の自然数）のＶＬＡＮまでのＭ個のＶＬＡＮタグが記憶されているものとする。
【００４６】
まず、通話端末１１０は、呼制御サーバ１４０の認証を受ける際には、初期設定として、ＶＬＡＮ情報記憶部１１３に記憶されているＶＬＡＮタグを識別するシリアル番号Ｎを「１」に初期化する（Ｓ１９０）。
【００４７】
次に、第ＮのＶＬＡＮタグをＭＡＣフレームに挿入したログイン要求を呼制御サーバ１４０に送信する（Ｓ１９１）。
【００４８】
そして、呼制御サーバ１４０からのログイン応答を受信せずに（Ｓ１９２）、所定の時間が経過した場合には（Ｓ１９３）、シリアル番号ＮがＶＬＡＮタグの個数Ｍに到っているか否かを判定する（Ｓ１９４）。
【００４９】
シリアル番号ＮがＶＬＡＮタグの個数Ｍに到っていない場合には（Ｓ１９４）、シリアル番号Ｎに「１」を加算して（Ｓ１９５）、ステップＳ１９１から処理を繰り返す。
【００５０】
一方、シリアル番号ＮがＶＬＡＮタグの個数Ｍに到っている場合には（Ｓ１９４）、ステップＳ１９０から処理を繰り返す。
【００５１】
ここで、ステップＳ１９２においてログイン要求を受信している場合には（Ｓ１９２）、ステップＳ１９１で付した第ＮのＶＬＡＮタグをＶＬＡＮ設定情報記憶部１１４に記憶して（Ｓ１９６）、処理を終了する。
【００５２】
図５は、本発明の第二の実施形態である通信システム２００の概略図である。
【００５３】
本実施形態においては、第一の実施形態と比較して、ＬＡＮ１５０に第一の呼制御サーバ２４０Ａ及び第二の呼制御サーバ２４０Ｂの二つが接続されており、通話端末２１０は、第一の呼制御サーバ２４０Ａ及び第二の呼制御サーバ２４０Ｂから選択してログイン要求を行うようにされている点で異なっている。以下、この異なっている点について説明する。
【００５４】
本実施形態においては、第一の呼制御サーバ２４０Ａと第二の呼制御サーバ２４０ＢとがＬＡＮ１５０に接続されている。
【００５５】
ここで、第一の呼制御サーバ２４０Ａと第二の呼制御サーバ２４０Ｂとは、同様の構成を有しており、第一の呼制御サーバ２４０Ａに障害が生じた場合に、第二の呼制御サーバ２４０Ｂが第一の呼制御サーバ２４０Ａの処理を引き継ぐようにされており、いわゆる多重システムとなっている。
【００５６】
図６に示されているように、本実施形態における通信端末２１０は、記憶部２１１と、制御部２１５と、ＬＡＮインターフェース部１１９と、Ｉ／Ｏ制御部１２０と、入力部１２１と、表示部１２２と、出力部１２３と、を備えており、ＬＡＮ１５０に接続することで、ＩＰ（Internet Protocol）電話として機能する。
【００５７】
なお、本実施形態においては、第一の実施形態における通話端末１１０と比較して、記憶部２１１及び制御部２１５が異なっているため、以下この異なっている事項について説明する。
【００５８】
ここで、本実施形態における記憶部２１１の通信情報記憶部２１２には、第一の呼制御サーバ２４０Ａのアドレス情報及び第二の呼制御サーバ２４０Ｂのアドレス情報が記憶されている。
【００５９】
そして、本実施形態における制御部２１５の通信制御部２１６は、通信情報記憶部２１２に記憶されている情報に基づいて、第一の呼制御サーバ２４０Ａと第二の呼制御サーバ２４０Ｂとを切り替えて、通信を行うようにされている。
【００６０】
また、本実施形態における制御部２１５のＶＬＡＮ制御部２１７は、ＶＬＡＮ情報記憶部１１３に記憶されているＶＬＡＮタグを一つずつ挿入したログイン要求を第一の呼制御サーバ２４０Ａ及び第二の呼制御サーバ２４０Ｂの交互に送信するようにされている。
【００６１】
以上のように構成される通信システム２００において、通話端末２１０から第一の呼制御サーバ２４０Ａ及び第二の呼制御サーバ２４０Ｂにログイン要求を行う処理を図７に示すシーケンス図を用いて説明する。
【００６２】
ここで、図７では、通話端末２１０は、集線装置１３０の第三のＶＬＡＮ１５１Ｃに接続するポートに連結されているものとする。
【００６３】
通話端末２１０は、まず、自身のアドレス情報等を格納したＩＰパケットに、第一のＶＬＡＮ１５１ＡのＶＬＡＮタグを付したＭＡＣフレームを付加して、第一の呼制御サーバ２４０Ａに対してログイン要求を送信する（２７０）。
【００６４】
集線装置１３０において、通話端末２１０は第三のＶＬＡＮ１５１Ｃに接続するポートに連結されているため、第一のＶＬＡＮ１５１ＡのＶＬＡＮタグが付されたログイン要求は破棄される（２７１）。
【００６５】
通話端末２１０は、時間計測部１１８において時間を計測しており、予め定められた時間が経過しても第一の呼制御サーバ２４０Ａからログイン応答を受信しない場合には（２７２）、次に、第一のＶＬＡＮ１５１ＡのＶＬＡＮタグが付されたログイン要求を第二の呼制御サーバ２４０Ｂに送信する（２７３）。
【００６６】
ここでも、集線装置１３０において、通話端末２１０は第三のＶＬＡＮ１５１Ｃに接続するポートに連結されているため、第一のＶＬＡＮ１５１ＡのＶＬＡＮタグが付されたログイン要求は破棄される（２７４）。
【００６７】
そして、通話端末２１０は、予め定められた時間が経過しても第二の呼制御サーバ２４０Ｂからログイン応答を受信しない場合には（２７５）、次に、第二のＶＬＡＮ１５１ＢのＶＬＡＮタグが付されたログイン要求を第一の呼制御サーバ２４０Ａに送信する（２７６）。
【００６８】
ここでも、集線装置１３０において、通話端末２１０は第三のＶＬＡＮ１５１Ｃに接続するポートに連結されているため、第二のＶＬＡＮ１５１ＢのＶＬＡＮタグが付されたログイン要求は破棄される（２７７）。
【００６９】
そして、通話端末２１０は、予め定められた時間が経過しても第一の呼制御サーバ２４０Ａからログイン応答を受信しない場合には（２７８）、次に、第二のＶＬＡＮ１５１ＢのＶＬＡＮタグが付されたログイン要求を第二の呼制御サーバ２４０Ｂに送信する（２７９）。
【００７０】
ここでも、集線装置１３０において、通話端末２１０は第三のＶＬＡＮ１５１Ｃに接続するポートに連結されているため、第二のＶＬＡＮ１５１ＢのＶＬＡＮタグが付されたログイン要求は破棄される（２８０）。
【００７１】
そして、通話端末２１０は、予め定められた時間が経過しても第二の呼制御サーバ２４０Ｂからログイン応答を受信しない場合には（２８１）、次に、第三のＶＬＡＮ１５１ＢのＶＬＡＮタグが付されたログイン要求を第一の呼制御サーバ２４０Ａに送信する（２８２）。
【００７２】
集線装置１３０において、通話端末１１０は第三のＶＬＡＮ１５１Ｃに接続するポートに連結されているため、第三のＶＬＡＮ１５１ＣのＶＬＡＮタグが付されたログイン要求を受信した集線装置１３０は、受信したログイン要求からＶＬＡＮタグを削除して（２８３）、第一の呼制御サーバ２４０Ａに転送する（２８４）。
【００７３】
第一の呼制御サーバ２４０Ａでは、ログイン要求に添付されている通話端末２１０のアドレス情報に基づいてログイン認証を行い（２８５）、通話端末２１０にログイン応答を返信する（２８６）。
【００７４】
集線装置１３０では、第一の呼制御サーバ２４０Ａから返信されたログイン応答のＭＡＣフレームに第三のＶＬＡＮ１５１ＣのＶＬＡＮタグを挿入して（２８７）、通話端末２１０に転送する（２８８）。
【００７５】
通話端末２１０では、第三のＶＬＡＮ１５１ＣのＶＬＡＮタグをＶＬＡＮ設定情報記憶部１１４に記憶して（２８９）、以後、この第三のＶＬＡＮ１５１ＣのＶＬＡＮタグを用いて発呼等の情報を第一の呼制御サーバ２４０Ａに送信する（２９０）。
【００７６】
図８は、本発明の第三の実施形態である通信システム３００の概略図である。
【００７７】
本実施形態においては、第一の実施形態と比較して、ＬＡＮ１５０にＤＨＣＰ（Dynamic Host Configuration Protocol）サーバ３４１が接続されており、通話端末３１０は、ＤＨＣＰサーバ３４１からＩＰアドレスを取得して、呼制御サーバ１４０にログイン要求を行うようにされている点で異なっている。以下、この異なっている点について説明する。
【００７８】
本実施形態においては、ＤＨＣＰサーバ３４１がＬＡＮ１５０に接続されている。
【００７９】
ＤＨＣＰサーバ３４１は、ＬＡＮ１５０で使用するＩＰアドレス及び通信を行う際の関連情報を集中的に管理して、通話端末３１０からの要求に応じて、各通話端末３１０にＬＡＮ１５０で通信を行うために必要な設定情報を割り振る処理を行う。
【００８０】
図９に示されているように、本実施形態における通信端末３１０は、記憶部３１１と、制御部３１５と、ＬＡＮインターフェース部１１９と、Ｉ／Ｏ制御部１２０と、入力部１２１と、表示部１２２と、出力部１２３と、を備えており、ＬＡＮ１５０に接続することで、ＩＰ（Internet Protocol）電話として機能する。
【００８１】
なお、本実施形態においては、第一の実施形態における通話端末１１０と比較して、記憶部３１１及び制御部３１５が異なっているため、以下この異なっている事項について説明する。
【００８２】
ここで、本実施形態における記憶部３１１の通信情報記憶部３１２には、呼制御サーバ１４０のアドレス情報が記憶されているほか、ＤＨＣＰサーバから取得したＩＰアドレスその他の通信に必要な関連情報を記憶する。
【００８３】
そして、本実施形態における制御部３１５の通信制御部３１６は、通信情報記憶部２１２に記憶されている情報に基づいて、ＤＨＣＰサーバ３４１からＩＰアドレス及びその他の通信に必要な関連情報を取得して、呼制御サーバ１４０にログイン要求を行うようにされている。
【００８４】
また、本実施形態におけるＶＬＡＮ制御部３１７は、ＤＨＣＰサーバ３４１にメッセージを送信する際にも、ＶＬＡＮ情報記憶部１１３に記憶されているＶＬＡＮタグを付したメッセージを順番にＤＨＣＰサーバ３４１に送信するようにされている。
【００８５】
そして、ＶＬＡＮ設定部３１７は、ＤＨＣＰサーバ３４１からメッセージに対する応答の返信があった場合には、この応答を受信する直前に送信したフレームに挿入されたＶＬＡＮタグをＶＬＡＮ設定情報記憶部１１４に記憶する。
【００８６】
以上のように構成される通信システム３００において、通話端末３１０からＤＨＣＰサーバ３４１にメッセージを送信する処理を図１０に示すシーケンス図を用いて説明する。
【００８７】
ここで、図１０では、通話端末３１０は、集線装置１３０の第三のＶＬＡＮ１５１Ｃに接続するポートに連結されたものとする。
【００８８】
通話端末３１０は、まず、第一のＶＬＡＮ１５１ＡのＶＬＡＮタグを付したＭＡＣフレームを生成して、ＤＨＣＰＤＩＳＣＯＶＥＲメッセージをブロードキャスト送信する（３７０）。
【００８９】
集線装置１３０において、通話端末３１０は第三のＶＬＡＮ１５１Ｃに接続するポートに連結されているため、第一のＶＬＡＮ１５１ＡのＶＬＡＮタグが付されたＤＨＣＰＤＩＳＣＯＶＥＲメッセージは破棄される（３７１）。
【００９０】
通話端末３１０は、時間計測部１１８において時間を計測しており、予め定められた時間が経過してもＤＨＣＰサーバ３４１からＤＨＣＰＯＦＦＥＲメッセージを受信しない場合には（３７２）、次に、第二のＶＬＡＮ１５１ＢのＶＬＡＮタグを付したＭＡＣフレームを生成して、ＤＨＣＰＤＩＳＣＯＶＥＲメッセージをブロードキャスト送信する（３７３）。
【００９１】
ここでも、集線装置１３０において、通話端末３１０は第三のＶＬＡＮ１５１Ｃに接続するポートに連結されているため、第二のＶＬＡＮ１５１ＢのＶＬＡＮタグが付されたＤＨＣＰＤＩＳＣＯＶＥＲメッセージは破棄される（３７４）。
【００９２】
通話端末３１０は、予め定められた時間が経過してもＤＨＣＰサーバ３４１からＤＨＣＰＯＦＦＥＲメッセージを受信しない場合には（３７５）、次に、第三のＶＬＡＮ１５１ＣのＶＬＡＮタグを付したＭＡＣフレームを生成して、ＤＨＣＰＤＩＳＣＯＶＥＲメッセージをブロードキャスト送信する（３７６）。
【００９３】
集線装置１３０において、通話端末３１０は第三のＶＬＡＮ１５１Ｃに接続するポートに連結されているため、第三のＶＬＡＮ１５１ＣのＶＬＡＮタグが付されたＤＨＣＰＤＩＳＣＯＶＥＲメッセージを受信した集線装置１３０は、受信したＤＨＣＰＤＩＳＣＯＶＥＲメッセージからＶＬＡＮタグを削除して（３７７）、ブロードキャスト送信する（３７８）。
【００９４】
ＤＨＣＰサーバ３４１では、ＤＨＣＰＤＩＳＣＯＶＥＲメッセージを受信すると、候補となるＩＰアドレスを通知するＤＨＣＰＯＦＦＥＲメッセージを作成し（３７９）、通話端末３１０にＤＨＣＰＯＦＦＥＲメッセージを返信する（３８０）。
【００９５】
集線装置１３０では、ＤＨＣＰサーバ３４１から返信されたＤＨＣＰＯＦＦＥＲメッセージのＭＡＣフレームに第三のＶＬＡＮ１５１ＣのＶＬＡＮタグを挿入して（３８１）、通話端末３１０に転送する（３８２）。
【００９６】
通話端末３１０では、第三のＶＬＡＮ１５１ＣのＶＬＡＮタグをＶＬＡＮ設定情報記憶部１１４に記憶して（３８３）、以後、この第三のＶＬＡＮ１５１ＣのＶＬＡＮタグを用いてＤＨＣＰＲＥＱＵＥＳＴ等のメッセージをＤＨＣＰサーバ３４１に送信する（３８４）。
【００９７】
なお、本実施形態では、通話端末３１０からＤＨＣＰサーバ３４１に対して、ＤＨＣＰＤＩＳＣＯＶＥＲメッセージを送信する場合を例に説明したが、ＤＨＣＰサーバ３４１から受信したＩＰアドレスのリース期間が経過し、リース期間の延長を行う場合にも、複数のＶＬＡＮタグを付したＲＥＱＵＥＳＴメッセージを送信するようにすることもできる。このようなＲＥＱＵＥＳＴメッセージを送信することで、例えば、ＤＨＣＰサーバ３４１からＩＰアドレスを取得した後に、所属するＶＬＡＮが変更された場合でも、リース期間の延長の際に、手動でＶＬＡＮの設定を変更する必要がなくなる。
【００９８】
以上に記載した実施形態においては、ＶＬＡＮ情報記憶部１１３にＬＡＮ１５０に設定されているＶＬＡＮのＶＬＡＮタグを記憶するようにしているが、このような態様に限定されず、例えば、将来的に使用する予定のあるＶＬＡＮタグを全て記憶させておくことで、ＬＡＮ１５０に設定するＶＬＡＮを増やした際にも、通話端末の設定を手動で変更する必要がなくなる。
【００９９】
また、以上に記載した実施形態においては、ＶＬＡＮタグをＭＡＣフレームに付加したフレームを送信してから所定の時間が経過する前に応答を受信した場合には、受信する直前に送信したフレームに挿入されたＶＬＡＮタグをＶＬＡＮ設定情報記憶部１１４に記憶するようにしているが、例えば、応答フレームにＶＬＡＮタグが付加されている場合には、付加されているＶＬＡＮタグをＶＬＡＮ設定情報記憶部１１４に記憶するようにしてもよい。
【０１００】
また、以上に記載した実施形態においては、ＶＬＡＮタグをＭＡＣフレームに付加したフレームを送信してから所定の時間が経過するまで、別のＶＬＡＮタグをＭＡＣフレームに付加したフレームの送信を行わないようにしているが、ＶＬＡＮ情報記憶部に記憶されているＶＬＡＮ情報に対応する複数のＶＬＡＮタグを一つずつＭＡＣフレームに付加したフレームを順次送信するようにしてもよい。
【０１０１】
これにより、送信フレームがサーバ等へのログイン要求であるような場合には、端末のログインまでに要する時間の短縮が図れ、端末のユーザにストレスを与えることのないシステム運用が可能となる。
【図面の簡単な説明】
【０１０２】
【図１】通信システム１００の概略図。
【図２】通話端末１１０の概略図。
【図３】通話端末１１０から呼制御サーバ１４０にログイン要求を行う処理を示すシーケンス図。
【図４】呼制御サーバ１４０においてログイン認証を受ける際の通話端末１１０の処理を示すフローチャート。
【図５】通信システム２００の概略図。
【図６】通信端末２１０の概略図。
【図７】通話端末２１０から第一の呼制御サーバ２４０Ａ及び第二の呼制御サーバ２４０Ｂにログイン要求を行う処理を示すシーケンス図。
【図８】通信システム３００の概略図。
【図９】通信端末３１０の概略図。
【図１０】通話端末３１０からＤＨＣＰサーバ３４１にメッセージを送信する処理を示すシーケンス図。
【符号の説明】
【０１０３】
１００、２００、３００  通信システム
１１０、２１０、３１０  通話端末
１３０  集線装置
１４０、２４０  呼制御サーバ
３４１  ＤＨＣＰサーバ
【図１】
0004768419.tif 000002
【図２】
0004768419.tif 000003
【図３】
0004768419.tif 000004
【図４】
0004768419.tif 000005
【図５】
0004768419.tif 000006
【図６】
0004768419.tif 000007
【図７】
0004768419.tif 000008
【図８】
0004768419.tif 000009
【図９】
0004768419.tif 000010
【図１０】
0004768419.tif 000011